(57)【特許請求の範囲】
【請求項１】
複数の表面により形成され、使用時にユーザの吸入で吸い込まれる空気が通り、かつ、前記空気の入口および出口をもつチャンバ（５８）を有する流路と、
空気流で運ぶために前記流路に一服の散薬を供給する投薬手段（１８）とを備えている、吸入により散薬を投与する散薬の吸入器において、
前記チャンバ（５８）の少なくとも一部を形成する表面に接触するようになっていて、かつ、前記投薬手段（１８）の下流側の前記流路の表面に蓄積した散薬を除去する、前記チャンバ（５８）内に配置された除去手段をさらに備えていることを特徴とする吸入器。
【請求項２】
前記除去手段が、ユーザの吸入により前記チャンバ（５８）を通って吸い込まれる空気流を妨げないように形成された自由移動可能部材（６４）を備えていることを特徴とする請求項１に記載の吸入器。
【請求項３】
前記自由移動可能部材（６４）がリングからなることを特徴とする請求項２に記載の吸入器。
【請求項４】
前記自由移動可能部材（６４）が金属で構成されていることを特徴とする請求項２または３に記載の吸入器。
【請求項５】
前記除去手段が前記チャンバ（５８）の入口に配置された複数の柔軟部材（６２）を備え、前記柔軟部材（６２）はユーザによる吸入時に前記チャンバ（５８）の少なくとも一部を形成する表面に接触するような長さおよび柔軟性を有するものであることを特徴とする請求項１に記載の吸入器。
【請求項６】
前記チャンバ（５８）の入口および出口が、互いに対して相対的に回転可能なそれぞれ対向する面に形成され、前記除去手段が、前記対向する面の一方に関して固定され、前記対向する面の相対的な回転により前記対向する面の他方の上に蓄積した散薬を除去するために前記対向する面の他方に接触して形成された部材（１４２；１５６）を備えていることを特徴とする請求項１に記載の吸入器。
【請求項７】
前記部材（１４２；１５６）は、スクレーパまたはブラシからなることを特徴とする請求項６に記載の吸入器。
【請求項８】
複数服の散薬を貯蔵する貯蔵チャンバ（２８）をさらに備え、前記貯蔵チャンバ（２８）は前記チャンバ（５８）の対向する面の一方に充填入口を有するとともに前記充填入口をふさぐプラグを有し、前記部材（１４２）は前記プラグの部分として、または前記プラグに取り付けられた部分として形成されていることを特徴とする請求項６または７に記載の吸入器。
【請求項９】
前記流路の少なくとも１つの表面を有するマウスピース（２）をさらに備えていることを特徴とする前記請求項のいずれかに記載の吸入器。
【請求項１０】
ねじやまを有するハウジングと、前記ハウジングに相対的に回転可能なように取り付けられるマウスピース（２）と、少なくともマウスピース（２）を覆うとともに前記ハウジングのねじやまに係合するねじやまを有するキャップ（１６９）とをさらに備え、
前記マウスピース（２）および前記キャップ（１６９）は、前記マウスピース（２）の少なくとも一部が前記キャップ（１６９）の一方への回転により前記ハウジングに対して回転し、前記マウスピース（２）のその部分が前記キャップ（１６９）の他方への回転により前記ハウジングに対してほぼ固定位置に留まるようになっていることを特徴とする請求項６，７，８のいずれかに記載の吸入器。
【請求項１１】
前記マウスピース（２）および前記キャップ（１６９）は、前記マウスピース（２）の少なくとも前記部分を回転させるように、前記キャップ（１６９）の前記一方への回転により係合する部分をそれぞれ備えていることを特徴とする請求項１０に記載の吸入器。
【請求項１２】
前記係合部分が少なくとも１つの弾力的に付勢される部材（１７０；１７６）と少なくとも１つの突出部（１６４）または凹部（１７２）とを備え、前記少なくとも１つの弾力的に付勢される部材（１７０；１７６）は、前記キャップ（１６９）の前記一方への回転により前記少なくとも１つの突出部（１６４）または凹部（１７２）に係合するように形成されていることを特徴とする請求項１１に記載の吸入器。
【請求項１３】
前記マウスピース（２）の少なくとも前記部分が前記キャップ（１６９）の回転により前記ハウジングに対して回転することを特徴とする請求項１０ないし１２のいずれかに記載の吸入器。
【請求項１４】
前記ハウジングが、使用時に吸入用の一服の散薬を供給するために回転させる回転可能なグリップ部（８）を備え、前記マウスピース（２）の少なくとも前記部分を回転させるために前記キャップ（１６９）を回転させる方向と同じ方向に前記グリップ部（８）を回転させて吸入用の一服の散薬を供給することを特徴とする請求項１０ないし１３のいずれかに記載の吸入器。
【請求項１５】
前記マウスピース（２）の少なくとも前記部分および前記ハウジングの相対的な回転に抵抗を与えるための手段をさらに備えたことを特徴とする請求項１０ないし１４のいずれかに記載の吸入器。
【請求項１６】
前記回転抵抗手段は、前記一方に前記キャップ（１６９）を回転させるのに必要な力よりも大きな力で前記キャップ（１６９）を前記他方に回転させることにより、前記ハウジングに対する前記マウスピース（２）の回転を可能にするものであることを特徴とする請求項１５に記載の吸入器。
【請求項１７】
前記回転抵抗手段がラチェット機構からなることを特徴とする請求項１５または１６に記載の吸入器。
【請求項１８】
前記吸入器は、前記キャップ（１６９）の前記他方への回転により起こる前記ハウジングに対する前記マウスピース（２）の少なくとも前記部分の回転が前記マウスピース（２）に損傷を与えないように構成されていることを特徴とする請求項１６または１７に記載の吸入器。
【発明の詳細な説明】
本発明は、吸入により散薬を投与するための散薬吸入器に関する。
従来、空気流に一服の散薬を投入する異なる装置を用いた種々の散薬吸入器が知られている。典型的な例として、散薬は、例えば喘息を治療するために患者の肺に吸入される。
欧州特許出願ＥＰ−Ａ−０２３７５０７号に、ある１つの散薬吸入器が開示されている。この吸入器は、吸入チャンネルと、空気チャンバおよび出口ノズルを有するマウスピースとを備えており、これらは共にユーザによる吸入の際に空気流が通る流路を形成する。この吸入器はさらに、吸入チャンネルに一服の散薬を供給する投薬機構を備えている。吸入の際、空気は、まず、散薬を取り込むように吸入チャンネル内を通って吸引される。その後、散薬を含んだ空気流は、空気チャンバを通って、マウスピースの出口ノズルから流出する。
図１は、このような散薬吸入器を示す。この吸入器は、出口ノズル４を有するマウスピース２、吸引器本体６、および吸入用の複数服の散薬を供給するための投薬機構を操作する回転グリップ部８を備えている。吸入器本体６には窓１２を形成する開口部１０が設けられており、吸入器の用法についての指示を与えるために前記窓１２を介して指示ホイール４２が見えるようになっている。
図２は、吸入器本体６の内部および周囲に配置される構成部品の分解図である。吸入器本体６には、分割部材１４が固定的にかぶせられている。美観的理由から、吸入器本体６は不透明の成形品である。分割部材１４は舌状部１５を有する透明成形品であり、その部分が前記窓１２を形成する。
吸入器本体６内には、投薬機構の構成部品が収容されている。構成部品には、複数の投薬部１８が設けられた平面とその中心から軸方向に延びるシャフト２０とを有する部材１６、吸入チャンネル２４を有する吸入ユニット２２、および、散薬を貯蔵する貯蔵チャンバ２８を有する貯蔵ユニット２６が含まれる。投薬機構の前記構成部品は、貯蔵ユニット２６の開口部３０に吸入チャンネル２４を挿入するとともに、吸入ユニット２２および貯蔵ユニット２６の各中央開口部３２，３４にシャフト２０を挿入することにより組み立てられる。このように組み立てられると、吸入チャンネル２４および貯蔵チャンバ２８の各上端部は、分割部材１４の第１および第２の開口部３６，３８にそれぞれ挿入されることになる。このようにして、吸入ユニット２２と貯蔵ユニット２６は互いに所定位置に取り付けられ、投薬ユニット１６はそれらに対して回転可能になっている。
この吸入器では、使用時に散薬が重力の作用で投薬ユニット１６に供給されるように貯蔵チャンバ２８の底部が開放している。また、吸入ユニット２２は、投薬部１８が設けられた投薬ユニット１６の部材１７の表面に弾力的に付勢される複数のスクレーパ４０を備えている。これにより、投薬ユニット１６を回転させると、投薬部１８（この吸入器では複数の貫通孔）にはスクレーパによって散薬が充填される。投薬ユニット１６の下には、散薬が投薬部１８を通過してしまうのを防止するプレート（図示せず）が配置されている。
図２に示すように、分割部材１４はさらに、指示ホイール４２を回転可能に支持する支持手段４１を備えている。指示ホイール４２は、その周囲に配置され、かつ投薬ユニット１６のシャフト２０の端面上の螺旋溝または突出部４６に係合する複数の歯４４を有している。支持手段４１は、指示ホイール４２の周囲の一部が窓１２の内面近傍に配置されるように、指示ホイール４２を位置決めするべく形成されている。使用の際、投薬ユニット１６を回転させると、螺旋溝または突出部４６が指示ホイール４２の１つ以上の歯４４に係合し、これにより指示ホイール４２が回転する。このように、指示ホイール４２の周囲に色づけしたマークをつけることにより、吸入器の用法についての可視的な指示を窓１２を介してユーザに提供することができる。
図４に示すように、マウスピース２は分割部材１４に取り付けられている。マウスピース２は第１および第２の部分４８，５０を有する。第１の部分４８はユーザの唇によってくわえられる部分であり、第２の部分５０は第１の部分４８の内部に取り付けられた挿入物である。第２の部分５０は、管状部分５２とほぼ径方向に向いたフランジ５６を備えている。管状部分５２は、吸引される空気を偏向させ、これにより浮遊して運ばれる散薬の大きな粒子の塊をくずすための螺旋状突出部５４を有している。フランジ５６は、ユーザにより吸引される散薬を含む空気が通る吸入チャンネル２４と連通する空気チャンバ５８を、分割部材１４の上面と協働して形成する表面を有する。
使用の際、上述したように、散薬は貯蔵チャンバ２８から投薬部１８の１つに移動し、投薬ユニット１６の回転によりその１つの投薬部１８は吸引チャンネル２４に一服の散薬を供給する。この吸引器では、第１と第２の角度的に離れた位置の間で上から見て時計回り方向にグリップ部８を回転させることにより投薬ユニット１６が回転する。このために、投薬ユニット１６は部材１７の周囲に配置されたくさび状部６０を備えており、グリップ部８は、各くさび状部６０を押すことにより投薬ユニット１６を回転させるように、くさび状部６０のそれぞれの軸方向に向いた表面６０ａに係合するべく形成された弾力部材（図示せず）を備えている。第２と第１の角度的に離れた位置の間でグリップ部８を反対方向すなわち反時計回り方向に回転させることにより、投薬ユニット１６は静止した状態にとどまり、弾力部材は近接するくさび状部６０の軸方向に向いた表面６０ａの後方に位置する（すなわち弾力部材は近接するくさび状部６０の傾斜面６０ｂの上に載った状態になる）。
国際出願ＷＯ−Ａ−９４／１４４９２号は、主本体およびねじ式取付キャップを備えた、吸入により散薬を投与する散薬吸入器を開示する。主本体は、貯蔵位置と一服の散薬が吸入用流路に供給される操作位置との間で回転可能で、かつキャップを取り付けることにより貯蔵位置に回転し、キャップを取り外すことにより操作位置に回転する部分を有している。
欧州特許出願ＥＰ−Ａ−０４２４７９０号は、一服の散薬を吸入用流路に運ぶための、一服の散薬が供給される少なくとも１つのカップを有するコンベヤと、前記少なくとも１つのカップへの完全な充填を促進するためにコンベヤに振動を起こす機構とを備えた、吸入により散薬を投与する散薬吸入器を開示する。
上述の散薬吸入器では、流路を形成する表面に散薬が蓄積する可能性があることが認められている。
そこで、本発明の目的は、流路の表面に散薬が蓄積する可能性を減ずるようにした構成を有する散薬吸入器を提供することにある。
本発明は、複数の表面により形成され、使用時にユーザの吸入で吸い込まれる空気が通り、かつ、入口および出口をもつチャンバを有する流路と、空気流で運ぶために前記流路に一服の散薬を供給する投薬手段とを備えた、吸入により散薬を投与する散薬吸入器において、
前記チャンバの少なくとも一部を形成する表面に接触するようになっていて、かつ、前記投薬手段の下流側の前記流路の表面に蓄積した散薬を除去する除去手段をさらに備えたことを特徴とする吸入器を提供する。
好ましくは、前記除去手段が、前記チャンバ内に配置され、ユーザの吸入により前記チャンバを通って吸い込まれる空気流を妨げないように形成された自由移動可能部材を備えている。
前記自由移動可能部材は、リングからなってもよい。
前記自由移動可能部材は、金属で構成されてもよい。
好ましくは、前記除去手段が前記チャンバの入口に配置された複数の柔軟部材を備え、前記柔軟部材はユーザによる吸入時に前記チャンバの少なくとも一部を形成する表面に接触するような長さおよび柔軟性を有する。
好ましくは、前記チャンバの入口および出口が、互いに対して相対的に回転可能なそれぞれ対向する面に形成され、前記除去手段が、前記対向する面の一方に関して固定され、前記対向する面の相対的な回転により前記対向する面の他方の上に蓄積した散薬を除去するために前記対向する面の他方に接触して形成された部材を備えている。
前記部材は、スクレーパまたはブラシからなってもよい。
好ましくは、前記吸入器は、複数服の散薬を貯蔵する貯蔵チャンバをさらに備え、前記貯蔵チャンバは前記チャンバの対向する面の一方に充填入口を有するとともに前記充填入口をふさぐプラグを有し、前記部材は前記プラグの部分として、または前記プラグに取り付けられた部分として形成されている。
好ましくは、前記吸入器は、前記流路の少なくとも１つの表面を有するマウスピースをさらに備えている。
前記吸入器は、ねじやまを有するハウジングと、前記ハウジングに相対的に回転可能なように取り付けられるマウスピースと、少なくともマウスピースを覆うとともに前記ハウジングのねじやまに係合するねじやまを有するキャップとをさらに備え、
前記マウスピースおよび前記キャップは、前記マウスピースの少なくとも一部が前記キャップの一方への回転により前記ハウジングに対して回転し、前記マウスピースのその部分が前記キャップの他方への回転により前記ハウジングに対してほぼ固定位置に留まるようになっていてもよい。
好ましくは、前記マウスピースおよび前記キャップは、前記マウスピースの少なくとも前記部分を回転させるように、前記キャップの前記一方への回転により係合する部分をそれぞれ備えている。
前記係合部分が少なくとも１つの弾力的に付勢される部材と少なくとも１つの突出部または凹部とを備え、前記少なくとも１つの弾力的に付勢される部材は、前記キャップの前記一方への回転により前記少なくとも１つの突出部または凹部に係合するように形成されていてもよい。
好ましくは、前記マウスピースの少なくとも前記部分が前記キャップの回転により前記ハウジングに対して回転する。
前記ハウジングは、使用時に吸入用の一服の散薬を供給するために回転させる回転可能なグリップ部を備え、前記マウスピースの少なくとも前記部分を回転させるために前記キャップを回転させる方向と同じ方向に前記グリップ部を回転させて吸入用の一服の散薬を供給してもよい。
好ましくは、前記吸入器は、前記マウスピースの少なくとも前記部分および前記ハウジングの相対的な回転に抵抗を与えるための手段をさらに備えている。
好ましくは、前記回転抵抗手段は、前記一方に前記キャップを回転させるのに必要な力よりも大きな力で前記キャップを前記他方に回転させることにより、前記ハウジングに対する前記マウスピースの回転を可能にする。
好ましくは、前記回転抵抗手段がラチェット機構からなる。
好ましくは、前記吸入器は、前記キャップの前記他方への回転により起こる前記ハウジングに対する前記マウスピースの少なくとも前記部分の回転が前記マウスピースに損傷を与えないように構成されている。
本発明は、その好適な実施形態において、前記流路を形成する表面に蓄積した散薬が次の吸入前にそれらの表面から除去されることを提供する。したがって、１回の使用を超えて吸入器内に散薬が蓄積するのが防止される。このように、投与される一服の散薬における変化は、１回の使用後に残った散薬の量に制限される。しかしながら、この量は非常に少なく、全く影響がない。また、キャップを取り外すときにマウスピースが自動的に回転するように吸入器を構成することにより、各吸入の前にマウスピースを回転させるのを覚えていることをユーザに期待する必要がない。
本発明の散薬吸入器は、いかなる適当な形態の散薬を使用してもよく、これには未処理状態(raw state)で空気流に導入される散薬や、塊状または微粉状または整理された(ordered)混合粒子としての散薬などが含まれる。さらに、散薬の活性成分は、ラクトースのような１つ以上の物質で希釈されていてもよいし、必ずしも呼吸系の状態でなくても種々の状態を治療するための物質を含んでいてもよい。実際、散薬は遺伝子材料を含むこともできるし、人間への使用に限定される必要もない。
本発明の散薬吸入器による投与に適した薬剤は、吸入により送り込むことができるものであればよく、例えばサルブタモール、テルブタリン、リミテロール、フェノラロール、シプロテロール、アドレナリン、ピルブテロール、イソプレナリン、オルシプレナリン、ビトルテロール、サルメテロール、フォルモテロール、クレンブテロール、プロカテロール、ブロクサテロール、ピクメテロール、ＴＡ−２００５、マブテロールなどのβ２−アドレナリン受容体作用薬、それらの薬理学的受容エステルおよび塩として例えばイプラトロピウム臭化物などの抗コリン作用性気管支拡張薬や例えばベクロメタゾン、フルチカゾン、ブデゾニド、チプレダン、デクサメタゾン、ベタメゾン、フルオシノロン、トリアミシノロンアセトニド、モメタゾンなどのグルココルチコイド、それらの薬理学的受容エステルおよび塩として例えばナトリウムクロモグリケイトおよびネドクロミルナトリウムなどの抗アレルギー薬、去痰薬、ムコ多糖類を加水分解する酵素、抗ヒスタミン薬、シクロオキシゲナーゼ抑制剤、ロイコトリエン合成抑制剤、ロイコトリエン拮抗薬、ホスホリパーゼ−Ａ２（ＰＬＡ２）抑制剤、血小板集合因子（ＰＡＦ）拮抗薬および喘息予防薬、抗不整脈薬、トランキライザ、強心配糖体、ホルモン、抗高血圧薬、抗糖尿病薬、抗寄生虫薬、抗癌剤、鎮静剤、鎮痛薬、抗生物質、抗リウマチ薬、免疫療法、抗真菌薬、抗低血圧薬、ワクチン、抗ウイルス薬、タンパク質、例えばペプチドホルモンや成長因子などのポリペプチドおよびペプチド、ポリペプチドワクチン、酵素、エンドルフィン、血液凝固カスケードに含まれるリポタンパク質およびポリペプチド、ビタミン、例えば細胞表面受容遮断薬、酸化防止剤、遊離基殺菌剤およびＮ，Ｎ’−ジアセチルシスチンなどの他の物質を含む。
以下において、本発明の好適な実施の形態が添付図面を参照して例示の方法により説明される。
図１は、公知の散薬吸入器の斜視図である。
図２は、図１に示す吸入器の構成部品の分解斜視図である。
図３は、図１に示す吸入器のマウスピースの下側を示す。
図４は、図１の吸入器の部分断面を含む側面図である。
図５は、（透視画法で描いたマウスピースを有する）本発明の第１実施形態の散薬吸入器の斜視図である。
図６（ａ）は、（透視画法で描いたマウスピースを有する）本発明の第２実施形態の散薬吸入器の斜視図である。
図６（ｂ）は、図６（ａ）の吸入器のマウスピースおよび自由移動可能部材の下側を示す。
図７は、（透視画法で描いたマウスピースを有する）本発明の第３実施形態の散薬吸入器の斜視図である。
図８は、本発明の第４実施形態の散薬吸入器の分解斜視図である。
図９は、本発明の第５実施形態の散薬吸入器の分解斜視図である。
図１０は、本発明の第６実施形態の散薬吸入器の分解斜視図である。
図１１は、本発明の第７実施形態の散薬吸入器の分解斜視図である。
図１２は、（透視画法で描いたマウスピースを有する）本発明の第８実施形態の散薬吸入器の斜視図である。
図１３は、本発明の第９実施形態の散薬吸入器の分解斜視図である。
図１４は、図１３に示す吸入器のマウスピースの構成部品の分解斜視図である。
図１５は、図１３に示す吸入器のカバープレートの拡大部分平面図である。
図１６は、図１３に示す吸入器用のキャップを示す。
図１７は、（透視画法で描いたキャップを有する）本発明の第１０実施形態の散薬吸入器のキャップおよび主本体の分解斜視図である。
図１８は、（透視画法で描いたマウスピースを有する）本発明の第１１実施形態の散薬吸入器のキャップおよび主本体の分解斜視図である。
構造において、本発明の好適な実施形態の散薬吸入器は、図１〜４を参照して上記で説明した公知の散薬吸入器と共通する多くの特徴を有している。よって、重複説明を避けるために、構成上異なる点についてのみ詳細に説明することとし、共通部分については公知の散薬吸入器の上述の説明を参照する。
図５は、本発明の第１実施形態の散薬吸入器を示す。この実施形態は、上述した公知の散薬吸入器を改良したものである。この実施形態は、空気チャンバ５８の周囲すなわち吸入チャンネル２４の周囲に配置された指状の複数の柔軟部材６２をさらに備えている点で、上述した公知の散薬吸入器とは異なる。柔軟部材６２は、ユーザの吸入で吸入器を通って吸い込まれる空気流によって動かされるときに、流路を形成する表面の少なくとも一部に接触するように形成されている。好適な実施形態では、柔軟部材６２は、動く際にマウスピース２の第２の部分５０のフランジ５６の下面により形成される空気チャンバ５８の表面に接触し、これによりその表面に蓄積している散薬を除去するような長さになっている。
図６（ａ）および図６（ｂ）は、本発明の第２実施形態の散薬吸入器を示す。この実施形態は、上述した公知の散薬吸入器を改良したものである。この実施形態は、空気チャンバ５８内で自由に移動可能に配置された自由移動可能部材６４をさらに備えるとともに、分割部材１４の上面が切れ目のほとんど又は全くないほぼ平坦な表面として形成されている点において、上述した公知の散薬吸入器とは異なる。この実施形態の分割部材１４を、上面が不規則な上述した公知の散薬吸入器の分割部材１４と対比することができる。分割部材１４の上面をほぼ平坦な表面に形成してあることにより、散薬が蓄積するところや自由移動可能部材６４が接触できないところがほとんどないということが理解されるであろう。自由移動可能部材６４は、適当な形状および材料のものでよい。しかしながら、空気流を妨げることなく空気チャンバ５８の上下面の両方との接触面積を大きくとれることから、リングがその形状として特に適していることは明らかである。使用の際、吸入器の動きにより自由移動可能部材６４は空気チャンバ５８内で移動し、これによりその内面に蓄積している散薬が除去される。好適な実施形態では、自由移動可能部材６４は例えば金属のような比較的重い材料で形成されおり、そのため自由移動可能部材６４が空気チャンバ５８の内面に衝突することにより吸入器内、特にマウスピース２の第２の部分５０に振動が起こり、この振動が流路の表面に蓄積している散薬を除去するのにさらに役立つ。
図７は、本発明の第３実施形態の散薬吸入器を示す。この実施形態は、上述した公知の散薬吸入器を改良したものである。この実施形態は、マウスピース２が第１、第２および第３の部分６６，６８，７０と、第１および第２の部分６６，６８を互いに向かって軸方向に付勢する付勢手段７２、好ましくは圧縮スプリングとを備えている点において、上述した公知の散薬吸入器とは異なる。第１の部分６６は、上述した公知の散薬吸入器のマウスピース２の第２の部分５０と同様に、管状部分５２とほぼ径方向に向いたフランジ５６とを備えている。管状部分５２は、吸い込まれる空気を偏向させ、これにより浮遊して運ばれる散薬の比較的大きな粒子の塊をくずすように作用する１つ以上の螺旋状突出部５４を含む。フランジ５６の下面は、分割部材１４の上面と共に、ユーザの吸入により吸い込まれる散薬を含む空気が通る吸入チャンネル２４と連通する空気チャンバ５８を形成する。第１の部分６６は、フランジ５６の上面に軸方向に向いた複数の突出部７４が設けてある点で、上述した公知の散薬吸入器のマウスピース２の第２の部分５０とは異なる。三角断面の本実施形態では、各突出部７４は、一方向（本実施形態では上から見たときに時計回り方向）に向いた第１側面７４ａと、反対方向（本実施形態では上から見たときに反時計回り方向）に向いた第２側面７４ｂとを有している。本実施形態では、突出部７４がフランジ５６の周囲に配置されている。他の実施形態では、突出部７４が径方向扇形部(radial sector)としてそれぞれ形成されていてもよい。第２の部分６８は、第１の部分６６に対して回転可能で、かつ、第３の部分７０に対して回転可能に取り付けられている。第２の部分６８は、第１の部分６６のフランジ５６とほぼ同じ径方向寸法のプレートを備えている。第２の部分６８の下面には、軸方向に向いた複数の突出部７８が設けてあり、その断面は本実施形態では第１の部分６６のフランジ５６上の突出部７４に対応している。この実施形態では、突出部７８は三角断面のもので、一方向（本実施形態では上から見たときに反時計回り方向）に向いた第１側面７８ａと、反対方向（本実施形態では上から見たときに時計回り方向）に向いた第２側面７８ｂとをそれぞれ有している。この実施形態では、突出部７８が第２の部分６８の周囲に配置されている。他の実施形態では、突出部７８が径方向扇形部としてそれぞれ形成されていてもよい。第３の部分７０は、上述した公知の散薬吸入器のマウスピース２の第１の部分４８と同様に、分割部材１４に取り付けられるとともに、ユーザの唇でくわえられる部分である。使用の際、第３の部分７０の回転によって付随的に回転する第２の部分６８は第１の部分６６から離れるように軸方向に移動し、そのとき第２の部分６８の突出部７８の第１側面７８ａが第１の部分６６のフランジ５６上の突出部７４のそれぞれの第１側面７４ａに沿って載っている。第３の部分７０の回転が続くことにより、第２の部分６８は、第２の部分６８上にある突出部７８の第１側面７８ａの後縁部が第１の部分６６のフランジ５６上にあるそれぞれの突出部７４の第１側面７４ａの前縁部を通り越す位置に達するまで、第１の部分６６のフランジ５６から離れるように軸方向にさらに移動する。そして、第２の部分６８上にある突出部７８の第１側面７８ａの後縁部が第１の部分６６のフランジ５６上にあるそれぞれの突出部７４の第１側面７４ａの前縁部を通り越すと、第２の部分６８は付勢手段７２の作用により急激に動かされて、第１の部分６６のフランジ５６に接触する。このときの第２の部分６８の突出部７８と第１の部分６６のフランジ５６上の突出部７４との激しい接触により、吸入器内、特に第１の部分６６に振動が起き、これにより空気チャンバ５８の上面を形成するフランジ５６の下面上に蓄積している散薬が除去される。この実施形態では三角断面で、かつ軸方向に向いた突出部７４，７８を用いたが、吸入器内、特に第１の部分６６に振動を起こす効果を達成できる他の断面も同様に用いることができる。
図８は、本発明の第４実施形態の散薬吸入器を示す。この実施形態は、上述した公知の散薬吸入器を改良したものである。この実施形態は、マウスピース２が第１、第２および第３の部分８０，８２，８４を備えている点で、上述した公知の散薬吸入器とは異なる。第１の部分８０は、上述した公知の散薬吸入器におけるマウスピース２の第２の部分５０と同様に、管状部分５２を備えている。管状部分５２は１つ以上の螺旋状突出部５４とほぼ径方向に向いたフランジ５６とを有している。突出部５４は、吸い込まれる空気を偏向させ、これにより浮遊して運ばれる散薬の比較的大きな粒子の塊をくずすように作用する。フランジ５６は、分割部材１４の上面と共に、ユーザの吸入により吸い込まれる散薬を含む空気が通る吸入チャンネル２４と連通する空気チャンバ５８を形成する表面を有する。第１の部分８０は、第１の部分８０を分割部材１４に取り付けるためにフランジ５６の周囲に配置された下方に向いた延長部８６と、フランジ５６の上面上であって管状部分５２の外周に配置され、かつ本実施形態ではそれぞれ三角断面を有する軸方向に向いた複数の突出部８８とをさらに備えている点で、上述した公知の散薬吸入器のマウスピース２の第２の部分５０とは異なる。この実施形態では、各突出部８８は、一方向（本実施形態では上から見たときに時計回り方向）に向いた第１側面８８ａと、反対方向（本実施形態では上から見たときに反時計回り方向）に向いた第２側面８８ｂとを有する。第２の部分８２は、第１の部分８０の管状部分５２を覆って配置される管状部分９０、管状部分９０から径方向に延びるフランジ９２、および弾力アーム９６によりフランジ９２に連結され、かつ突出部８８上に載るように形成された部材９４を備えている。フランジ９２は、各フランジ５６，９２が固定軸を有する関係になるように第２の部分８２を第１の部分８０に取り付けるための下方に向いた周囲延長部９８を有している。第２の部分８２は、第１の部分８０に対して一方向（本実施形態では上から見たときに反時計回り方向）に回転可能なように、第１の部分８０に取り付けられる。第３の部分８４は、上述した公知の散薬吸入器のマウスピース２の第１の部分４８と同様に、ユーザの唇でくわえられる部分である。この実施形態では、第３の部分８４は、第２の部分８２と共に回転するように、第２に部分８２に対して固定される。これにより、第３の部分８４が一方向（本実施形態では上から見たときに反時計回り方向）に回転すると、第２の部分８２の部材９４が突出部８８の第１側面８８ａに沿って載り、第１の部分８０のフランジ５６から離れるように軸方向に移動する。部材９４が移動するにつれて、弾性アーム９６が次第に反ってくる。部材９４は、それぞれの突出部８８の第１側面８８ａの前縁部を通り越すまで、軸方向にさらに移動する。前縁部を通り越したとき、部材９４は負荷のかかったアーム９６の作用により急激に動かされて、第１の部分８０のフランジ５６に接触する。この急激な移動により達成される部材９４と第１の部分８０のフランジ５６との間の激しい接触は、吸入器内、特に第１の部分８０に振動を起こし、これにより空気チャンバ５８の上面を形成するフランジ５６の下面上に蓄積している散薬が除去される。
図９は、本発明の第５実施形態の散薬吸入器を示す。この実施形態は、上述した公知の散薬吸入器を改良したものである。この実施形態では、マウスピース２が第１および第２の部分１００，１０２を備えている。第１の部分１００は、上述した公知の散薬吸入器のマウスピース２の第２の部分５０と同様に、管状部分５２とほぼ径方向に向いたフランジ５６とを備えている。管状部分５２は、吸い込まれる空気を偏向し、これにより浮遊して運ばれる散薬の比較的大きな粒子の塊をくずすように作用する１つ以上の螺旋状突出部５４を有する。フランジ５６は、分割部材１４の上面と共に、ユーザの吸入で吸い込まれる散薬を含む空気が通る吸入チャンネル２４と連通する空気チャンバ５８を形成する表面を与えている。第１の部分１００は、フランジ５６の周囲に配置され、第１の部分１００を分割部材１４に取り付けるための下方に向いた延長部１０４と、管状部分５２の外周に配置され、本実施形態では三角断面を有する径方向に向いた複数の突出部１０６とをさらに有する点で、上述した公知の散薬吸入器のマウスピース２の第２の部分５０とは異なる。第２の部分１０２は、上述した公知の散薬吸入器のマウスピース２の第１の部分４８と同様に、ユーザの唇でくわえられる部分である。この実施形態では、第２の部分１０２は、先端部が管状部分５２の周囲の突出部１０６と係合するように形成された内側に向いた部材１０８を備えている。これにより、第１の部分１００に対して第２の部分１０２が（本実施形態では上から見たときに反時計回り方向に）回転すると、部材１０８は突出部１０６の第１側面１０６ａの上に載ることにより、径方向外側に反る。部材１０８は、突出部１０６の第１側面１０６ａの前縁部を通り越すまで、次第に反っていく。そして、その前縁部を通過したとき、負荷のかかった状態にあった部材１０８の先端部は急激に動いて、隣接する突出部１０６の第１側面１０６ａに接触する。このような部材１０８の先端部と管状部分５２との激しい接触は、吸入器内、特に第１の部分１００に振動を起こし、これにより空気チャンバ５８の上面を形成するフランジ５６の下面上に蓄積している散薬が除去される。この実施形態では、部材１０８は弾力性のある材料で形成されている。しかしながら、硬い材料で形成した部材１０８をスプリングなどの付勢手段で管状部分５２に対して付勢するようにしてもよいことが理解されるであろう。
図１０は、本発明の第６実施形態の散薬吸入器を示す。この実施形態は、上述した公知の散薬吸入器を改良したものである。この実施形態は、マウスピースが第１、第２および第３の部分１１０，１１２，１１４を備えている点で、上述した公知の散薬吸入器とは異なる。第１の部分１１０は、上述した公知の散薬吸入器のマウスピース２の第２の部分５０と同様に、管状部分５２とほぼ径方向に向いたフランジ５６とを備えている。管状部分５２は、吸い込まれる空気を偏向し、これにより浮遊して運ばれる散薬の比較的大きな粒子の塊をくずすように作用する１つ以上の螺旋状突出部５４を有する。フランジ５６は、分割部材１４の上面と共に、ユーザの吸入で吸い込まれる散薬を含む空気が通る吸入チャンネル２４と連通する空気チャンバ５８を形成する表面を与えている。第１の部分１１０は、フランジ５６の周囲に配置され、第１の部分１１０を分割部材１４に取り付けるための下方に向いた延長部１１６と、管状部分５２の外周に所定距離をおいて配置され、本実施形態では円形断面を有する短い突出部の形状をした上方に向いた複数の軸方向突出部１１８とをさらに備えている点で、上述した公知の散薬吸入器のマウスピース２の第２の部分５０とは異なる。この実施形態では、突出部１１８は管状部分５２の周囲の円上に等間隔に配置されている。第２の部分１１２は、第１の部分１１０の管状部分５２を覆って配置される管状部分１２０と、少なくとも一部が管状部分１２０から径方向外側に延びる複数の部材１２２とを備えている。第３の部分１１４は、上述した公知の散薬吸入器のマウスピース２の第１の部分４８と同様に、ユーザの唇でくわえられる部分である。この実施形態では、第２の部分１１２は一緒に回転するように第３の部分１１４に固定され、第３の部分１１４は第１の部分１１０に対して回転するように第１の部分１１０に取り付けられる。これにより、第３の部分１１４が一方向（本実施形態では上から見たときに反時計回り方向）に回転すると、部材１２２は各突出部１１８の上にそれぞれ載って、径方向内側に反る。その回転を続けると、部材１２２はその先端部が突出部１１８を通り越すまで次第に反って付勢される。突出部１１８を通り越すと、部材１２２の先端部は径方向外側に急激に動いて、隣接する突出部１１８に接触する。急激な移動により達成される部材１２２および突出部１１８間の激しい接触は、吸入器内、特に第１の部分１１０に振動を起こし、これにより空気チャンバ５８の上面を形成するフランジ５６の下面上に蓄積している散薬が除去される。
図１１は、本発明の第７実施形態の散薬吸入器を示す。この実施形態は、上述した公知の散薬吸入器を改良したものである。この実施形態は、マウスピース２が第１、第２および第３の部分１２４，１２６，１２８を備えている点で、上述した公知の散薬吸入器とは異なる。第１の部分１２４は、上述した公知の散薬吸入器のマウスピース２の第２の部分５０と同様に、管状部分５２とほぼ径方向に向いたフランジ５６とを備えている。管状部分５２は、吸い込まれる空気を偏向し、これにより浮遊して運ばれる散薬の比較的大きい粒子の塊をくずすように作用する１つ以上の螺旋状突出部５４を有している。フランジ５６は、分割部材１４の上面と共に、ユーザの吸入で吸い込まれる散薬を含む空気が通る吸入チャンネル２４に連通する空気チャンバ５８を形成する表面を与えている。第１の部分１２４は、フランジ５６の周囲に配置され、第１の部分１２４を分割部材１４に取り付けるための下方に向いた延長部１３０と、管状部分５２の外周に配置され、本実施形態では三角断面をそれぞれ有する軸方向に向いた複数の突出部１３２とをさらに備えている点で、上述した公知の散薬吸入器のマウスピース２の第２の部分５０とは異なる。この実施形態では、各突出部１３２は、一方向（本実施形態では上から見たときに時計回り方向）に向いた第１側面１３２ａと、反対方向（本実施形態では上から見たときに反時計回り方向）に向いた第２側面１３２ｂとを有している。第１の部分１２４はさらに、フランジ５６の少なくとも一部が弾力性のある材料で形成されているため、管状部分５２が周囲延長部１３０に対して移動可能で、これによりフランジ５６が弾力的に変形する点で、上述した公知の散薬吸入器のマウスピース２の第２の部分５０とは異なる。好適な実施形態では、フランジ５６は、変形を可能にする必要な弾力性を示すために十分に薄く形成されている。この実施形態では、第２の部分１２６は、第１の部分１２４の管状部分５２を覆って配置される管状部分１３４と、管状部分１３４から径方向に延びるフランジ１３６と、フランジ１３６の周囲に配置され、第２の部分１２６を第１の部分１２４に回転可能の取り付けるための下方に向いた延長部１３８とを有している。延長部１３８の外周には、ユーザ用グリップとして機能する径方向に向いた複数の突出部１４０が形成されている。第２の部分１２６はフランジ１３６の下面に配置された軸方向に向いた複数の突出部（図示せず）をさらに有しており、この突出部の断面は第１の部分１２４の管状部分５２の周囲に配置された突出部１３２と一致している。この実施形態では、フランジ１３６の下面の突出部は三角断面を有し、一方向（本実施形態では上から見たときに反時計回り方向）に向いた第１側面と、反対方向（本実施形態では上から見たときに時計回り方向）に向いた第２側面とをそれぞれ持つ。第２の部分１２６は、第１の部分１２４に対して一方向（本実施形態では上から見たときに反時計回り方向）に回転可能に取り付けられる。第３の部分１２８は、上述した公知の散薬吸入器のマウスピース２の第１の部分４８と同様に、ユーザの唇でくわえられる部分である。この実施形態では、第３の部分１２８は、一緒に回転するように第２の部分１２６に固定される。これにより、第２および第３の部分１２６，１２８が一方向（本実施形態では上から見たときに反時計回り方向）に回転すると、フランジ１３６の下面にある突出部の第１側面が管状部分５２の突出部１３２の第１側面１３２に載るために、管状部分５２は延長部１３０に対して軸方向下方に移動する。管状部分５２は、フランジ１３６の下面にある突出部の第１側面の後縁部が管状部分５２の突出部１３２の第１側面１３２の前縁部を通り越すまで、軸方向にさらに移動する。フランジ１３６の下面にある突出部の第１側面の後縁部が管状部分５２の突出部１３２の第１側面１３２の前縁部を通り越したとき、管状部分５２は元の軸方向位置に急激に戻り、管状部分５２の突出部１３２がフランジ１３６の下面の突出部に接触する。急激な移動により達成される管状部分５２の突出部１３２およびフランジ１３６下面の突出部間の激しい接触は吸入器内、特に第１の部分１２４に振動を起こし、これにより空気チャンバ５８の上面を形成するフランジ５６の下面上に蓄積している散薬が除去される。
図１２は、本発明の第８実施形態の散薬吸入器を示す。この実施形態は、上述した公知の散薬吸入器を改良したものである。この実施形態は、空気チャンバ５８の上面を形成するマウスピース２の第２の部分５０の下面に接触する分割部材１４の上面に配置された部材１４２をさらに備えている点で、上述した公知の散薬吸入器とは異なる。好適な実施形態では、部材１４２はスクレーパまたはブラシからなる。この実施形態はさらに、マウスピース２は吸入器本体６に対して回転可能である点で、上述した公知の散薬吸入器とは異なる。使用の際、本実施形態ではマウスピース２を回転させることにより部材１４２に対して第２の部分５０を回転させると、部材１４２は第２の部分５０の下面上に蓄積している散薬を除去するように機能する。好適な実施形態では、貯蔵チャンバ２８の上部に分離プラグで閉じられる入口がある場合、部材１４２はそのプラグの一体的部分として形成されてもよいし、そのプラグに取り付けられていてもよい。この実施形態では部材１４２が空気チャンバ５８の上面を形成する第２の部分５０の下面に接触するように形成されたが、代わりの実施形態では部材１４２が空気チャンバ５８の下面を形成する分割部材１４の上面に接触するように形成されてもよいことが理解されるであろう。別の実施形態では、第２の部分５０の下面および分割部材１４の上面の両方に接触するように形成された１つ以上の部材１４２を設けてもよい。
図１３は、本発明の第９実施形態の散薬吸入器を示す。この実施形態は、上述した公知の散薬吸入器を改良したものである。この実施形態は、分割部材１４が吸入器本体６の周囲壁にある開口部１４４に連通する補足空気入口１４２を備える点、および、分割部材１４の上に配置されるカバープレート１４６をさらに備える点で、上述した公知の散薬吸入器とは異なる。カバープレート１４６は、吸入チャンネル２４および補足空気入口１４２にそれぞれ対応する第１および第２の開口部１４８，１５０を有している。カバープレート１４６はさらに、弾力アーム１５４によってその本体に連結された外側に付勢された部材１５２を有している。この実施形態では、部材１５２はほぼ径方向に向いた端面１５２ａを有している。カバープレート１４６はまたさらに、空気チャンバ５８の上面を形成するフランジ５６の下面の一部に接触するように形成された部材１５６を備えている。好適な実施形態では、部材１５６はスクレーパまたはブラシからなる。この実施形態では、部材１５６は、カバープレート１４６と一体的に形成され、弾性のある材料で形成されたアームを備え、スクレーパとして機能する。この実施形態では、上述した公知の散薬吸入器と同様に、マウスピース２は第１および第２の部分１５８，１６０を備えている。この実施形態はさらに、第１の部分１５８が径方向内側に向いた複数の突出部１６２と径方向外側に向いた複数の突出部１６４とをさらに備えている点で、上述した公知の散薬吸入器とは異なる。内側に向いた突出部１６２はそれぞれ、一方向（本実施形態では上から見たときに反時計回り方向）に向いた第１側面１６２ａと、反対方向（本実施形態では上から見たときに時計回り方向）に向いた第２側面１６２ｂを有している。この実施形態では、内側に向いた突出部１６２の第２側面１６２ｂはほぼ径方向に向いている。このように吸入器は、ユーザが唇でマウスピース２をくわえようとするときに、マウスピース２が吸入器本体６に対して自由に回転できないように構成されている。この実施形態では、マウスピース２は、分割部材１４の周囲に形成された隆起部１６８に係合するクリップ１６６によって吸入器本体６に取り付けられる。この実施形態の吸入器は、マウスピース２を一方向（上から見て反時計回り方向）へは比較的小さな力で回転させることができるが、マウスピース２を反対方向（上から見て時計回り方向）へ回転させるには大きな抵抗があって強い力で回転させることはできるように構成されている。マウスピース２を反時計回り方向へ回転させると、部材１５２は比較的小さな力で内側に向いた突出部１６２の第１側面１６２ａの上に載り、弾力アーム１５４が径方向内側に反る。マウスピース２を時計回り方向へ回転させると、部材１５２の端面１５２ａが内側に向いた突出部１６２の第２側面１６２ｂに当接し、これにより端面１５２ａおよび第２側面１６２は径方向に対して小さい角度の表面をなすように形成される。内側に向いた各突出部１６２を越えて部材１５２を回転させるには、部材１５２の端面１５２ａと内側に向いた突出部１６２の第２側面１６２ｂとの間の抵抗に打ち勝つように、比較的強い力を加えなければならない。吸入器は、部材１５２の端面１５２ａおよび内側に向いた突出部１６２の第２側面１６２ｂを径方向に向いた面として形成してあることによって、一方向へのマウスピース２の回転を妨げるように構成されているが、この実施形態では、ユーザが、部材１５２、弾力アーム１５４または内側に向いた突出部１６２を変形させることによって起こる損傷につながるかもしれないその方向へマウスピース２を強いて回転させようとすることもできるということが認められる。使用の際、吸入器本体６に対してマウスピース２を回転させると、第２の部分１６０のフランジ５６の下面が部材１５６に対して回転し、これにより回転方向において部材１５６の直ぐ上流側にあるフランジ５６の下面の部分に蓄積している散薬が除去される。
好適な実施形態では、吸入器は、取り外すときにマウスピース２を回転させるキャップ１６９をさらに備えている。この実施形態では、キャップ１６９は、その内周に配置され、マウスピース２の第１の部分１５８上の外側に向いた突出部１６４と係合する複数の弾力部材１７０を有する。弾力部材１７０は軸方向に延びるとともにキャップ１６９の内周に対して鋭角をなし、弾力部材１７０の先端部は上から見たときに反時計回り方向に向いている。軸方向の長さを有することにより、弾力部材１７０は、上から見たときに反時計回り方向にねじを緩めてキャップ１６９を取り外す間中、第１の部分１５８の外側に向いた突出部１６４に係合する。使用の際にキャップ１６９を取り外すとき、１つ以上の弾力部材１７０が第１の部分１５８の外側に向いた突出部１６４に係合してマウスピース２を吸入器本体６に対して回転させ、これにより部材１５６に対して回転方向上流側にある第２の部分の１６０のフランジ５６の下面のその部分に蓄積している散薬が部材１５６により除去される。このように、ユーザがキャップ１６９を取り外すときには常にマウスピース２が自動的に回転する。また、マウスピース２はキャップ１６９が取り外されるときだけに一方向にのみ回転する。この構成はいくつかの利点を有する。具体的には、吸入の直前に、蓄積した散薬が除去される。また、キャップ１６９を取り外すとき、グリップ部８は、吸入チャンネル２４に一服の散薬を供給する際の方向とは反対方向に回転する傾向にある。したがって、キャップ１６９の取り外しにより吸入器が装填される危険がない。この実施形態では上から見て時計回り方向にねじ込んでキャップ１６９を取り付ける際、弾力部材１７０は反って第１の部分１５８の外側に向いた突出部１６４の上に載る。好適な実施形態では、第１の部分１５８に設けられている外側に向いた突出部１６４よりも多数の弾力部材１７０がキャップ１６９に設けられている。これにより、１つ以上の外側に向いた突出部１６４に弾力部材１７０を係合させるのに必要なキャップ１６９の回転角度が最小になる。また、キャップ１６９を取り付けるとき、弾力部材１７０が外側に向いた突出部１６４上を同時に１つだけ通過し、これにより取り付けられたキャップ１６９では僅かに１つの弾力部材１７０が変形した状態のままになる。変形状態が長く続くことは、弾力部材１７０の材料を弛緩させるという観点からして好ましくない。好適な実施形態では、キャップ１６９および弾力部材１７０は、一体成形品として形成されている。
図１７は、本発明の第１０実施形態による散薬吸入器を示す。この実施形態は、キャップ１６９を取り外すときにマウスピース２を回転させるための代わりの構成を組み込んである。この実施形態では、軸方向に向いた複数の溝１７２がマウスピース２の周囲に設けてあり、キャップ１６９にはその上部に配置された挿入部１７４が設けてある。挿入部１７４は、リング形状をなし、マウスピース２の溝１７２に係合するように形成された径方向内側に付勢する複数の部材１７６を備えている。内側に付勢する部材１７６の先端は、上から見たときに反時計回り方向に向いている。使用の際、上から見て反時計回り方向にねじを緩めてキャップ１６９を取り外すとき、内側に付勢する部材１７６は溝１７２内にそれぞれ位置し、吸入器本体６に対してマウスピース２を回転させる。このように、ユーザがキャップ１６９を取り外すときは常に、マウスピース２が自動的に回転する。上から見て時計回り方向にねじ込んでキャップ１６９を取り付けるとき、内側に付勢する部材１７６は反って溝１７２の上に載る。
図１８は、本発明の第１１実施形態の散薬吸入器を示す。この実施形態は、上述した公知の散薬吸入器を改良したものである。この実施形態では、上述した公知の散薬吸入器と同様に、マウスピース２が、吸い込まれる空気を偏向し、これにより浮遊して運ばれる散薬の比較的大きな粒子の塊をくずすように作用する１つ以上の螺旋状突出部５２を備えている。この実施形態は、上端部の下面から延びるブラシ１７８を有するキャップ１６９を備える点で、上述した公知の散薬吸入器とは異なる。ブラシ１７８はキャップ１６９の縦軸に沿って配置されているため、上から見て時計回り方向にねじ込みながらキャップ１６９を取り付けるとき、ブラシ１７８は管状部分５２の内部に延びる。このように、キャップ１６９を取り付けたり外したりするときは常に、ブラシ１７８は管状部分５２内に蓄積している散薬を除去するように作用する。好適な実施携帯では、ブラシ１７８は、管状部分５２内の螺旋状突出部５４の表面をより効果的にきれいにするように螺旋状に形成されている。他の実施形態として、ブラシ１７８をキャップ１６９に相対的に回転可能なように取り付けてもよい。
さらに別の実施形態として、本発明は、協働する部品によって振動を発生させる吸入器を提供することができる。１つの実施形態では、マウスピースと吸入器本体との間に移動止め表面(detented surface)を設け、その相対的な軸方向移動により振動を起こすようにしてもよい。また、別の実施形態では、キャップとマウスピースとの間、または、キャップと吸入器本体との間に移動止め表面を設け、これによりキャップを押し込むか、またはねじ込んで取り付けるときに振動を起こすようにしてもよい。
最後に、本発明は好適な実施形態により説明されており、添付の請求の範囲で規定される本発明の範囲から外れることなく種々の異なる変形が可能であることが当業者に理解されるであろう。
【図１】
0004138019.tif 000002
【図２】
0004138019.tif 000003
【図３】
0004138019.tif 000004
【図４】
0004138019.tif 000005
【図５】
0004138019.tif 000006
【図１２】
0004138019.tif 000007
【図６（ａ）】
0004138019.tif 000008
【図６（ｂ）】
0004138019.tif 000009
【図７】
0004138019.tif 000010
【図８】
0004138019.tif 000011
【図９】
0004138019.tif 000012
【図１０】
0004138019.tif 000013
【図１１】
0004138019.tif 000014
【図１３】
0004138019.tif 000015
【図１４】
0004138019.tif 000016
【図１５】
0004138019.tif 000017
【図１６】
0004138019.tif 000018
【図１７】
0004138019.tif 000019
【図１８】
0004138019.tif 000020